(57)【要約】    【課題】  木炭への着火をすばやく確実に行なえ、しかも燃焼中の木炭から受ける熱負荷を低減する。    【解決手段】  炭バケット（２２）を耐久強度に富む鋳鉄製品とする一方、電気ヒーター（３６）をセラミックの芯棒（３４）へ径大な花弁状に巻き付けたカンタル線（３５）として、これを包囲するヒーター包囲カバー（４２）の先端部へ、細かく仕切り造形されたセラミックの風吹出しノズル（４６）を嵌め付け固定すると共に、そのヒーター包囲カバー（４２）の風吹出しノズル（４６）と上記炭バケット（２２）の胴面に開口する通風口（２３）との向かい合う相互間に、一定の間隔距離（Ｄ）を確保した。【選択図】  図５
2006129986.tif 000002
【特許請求の範囲】
【請求項１】
据付けキャビネット（１）の天板（２）に嵌め付けられた飾り枠（５）と、その内部へ所定間隙の吸気流路（Ｐ）を保つ状態に嵌め込み支持された内筒（１３）と、その内部へ嵌め込み定置された炭バケット（２２）と、その炭バケット（２２）内の簀子受け座（２４）へ載置される簀子（２５）と、上記炭バケット（２２）の胴面に開口する通風口（２３）を指向して、上記飾り枠（５）と内箱（１３）との胴面に差し込み貫通された電気ヒーター（３６）と送風機（３７）とから成る電気着火ユニット（Ｕ）とを備え、
その電気ヒーター（３６）の発熱を送風機（３７）の送風作用による熱風として、上記簀子（２５）上に積み重ねられた木炭（Ｃ）へ投射する電気着火式炭火ロースターにおいて、
上記炭バケット（２２）を鋳鉄製品として、上向き拡開する断面ほぼラッパ型に造形する一方、上記電気ヒーター（３６）をセラミックの芯棒（３４）へ径大な花弁状に巻き付けたカンタル線（３５）として、これを包囲するヒーター包囲カバー（４２）の先端部へ、細かく仕切り造形されたセラミックの風吹出しノズル（４６）を嵌め付け固定すると共に、
そのヒーター包囲カバー（４２）の風吹出しノズル（４６）と上記炭バケット（２２）の通風口（２３）との向かい合う相互間に、一定の間隔距離（Ｄ）を確保したことを特徴とする電気着火式炭火ロースター。
【請求項２】
炭バケット（２２）の簀子受け座（２４）を全体的な放射対称型に分布する複数として、その炭バケット（２２）における胴面の下部位置から通風口（２３）の開口下縁部よりも、一定の高低段差（Ｈ）だけ背高く内向き一体に張り出して、
これに安定良く載置された簀子（２５）上の木炭（Ｃ）へ、上記通風口（２３）から熱風を簀子（２５）の上方のみならず、その簀子（２５）の下方からも部分的に廻り込み作用させるように関係設定したことを特徴とする請求項１記載の電気着火式炭火ロースター。
【請求項３】
内箱（１３）をステンレス鋼板から上向き拡開する断面ほぼＵ字型に造形して、その開口上縁部から曲げ起された径大な受け止めフランジ（１６）により、食材（Ｍ）の焼き網（２１）と吸気流路（Ｐ）に連通する吸気筒（１８）とを受け止めると共に、
炭バケット（２２）の開口上縁部とこれを包囲する上記内箱（１３）の胴面との内外相互間に、一定の吸気間隙（Ｓ）を確保したことを特徴とする請求項１記載の電気着火式炭火ロースター。
【請求項４】
ステンレス鋼板から上向き拡開する断面ほぼＵ字型に造形された飾り枠（５）の下面を、集塵部（８）に連通する排気口（７）として切り欠く一方、
同じくステンレス鋼板から上向き拡開する断面ほぼＵ字型に造形された内箱（１３）の下面を、上記飾り枠（５）の排気口（７）よりも低く陥没する径小な炭バケット用受皿面（１４）として絞り加工すると共に、
その受皿面（１４）を横断する内箱支持ベース（１７）の両端部を、上記飾り枠（５）における排気口（７）の開口縁部へ吊り掛けることにより、上記内箱（１３）をその飾り枠（５）の下面から一定高さだけ浮上する設置状態に保ったことを特徴とする請求項１記載の電気着火式炭火ロースター。
【発明の詳細な説明】
【技術分野】
【０００１】
本発明は木炭の自動火熾しを行なえる電気着火式炭火ロースターに関する。
【背景技術】
【０００２】
電気着火式の炭火ロースターとしては、本出願人の関連会社から提案された実用新案登録第３０２０８１０号が公知である。
【特許文献１】実用新案登録第３０２０８１０号公報
【発明の開示】
【発明が解決しようとする課題】
【０００３】
ところが、上記公知考案の構成ではコンロ（１）が珪藻土製品として、その側壁（１ａ）の中腹部に穿設されている通風穴（５）へ、ヒーターユニット（６）の先端吹出しノズル（８）が差し込み支持されているため、その吹出しノズル（８）の言わば全開状態にあることとも相俟って、コンロ（１）内の炭灰や食肉（１５）のタレなどは勿論のこと、コンロ（１）の表面から経時的に崩壊した粉塵までもが、先端吹出しノズル（８）を通じてヒーターユニット（６）の内部へ侵入し、そのヒーター（６ａ）の早期なショートや損傷事故なとを招来することになる。
【０００４】
又、上記原因に加えて、ヒーターユニット（６）のヒーター（６ａ）がありふれた安価なニクロム線から成る一方、排煙や油滴などの吸い込み力に劣る構造として、コンロ（１）とその支持枠（１３）の内部に高熱が籠りやすいため、燃焼中の木炭（９）から受けるヒーターユニット（６）の熱負荷が過大となり、そのヒーター（６ａ）の耐用寿命も低下する。
【０００５】
更に、上記ヒーターユニット（６）のヒーター（６ａ）はニクロム線から連続する径小なコイル状に密巻きされているため、送風機（７）から先端吹出しノズル（８）までの通風性が悪く、しかも上記コンロ（１）の通風穴（５）は簀子（２）よりも上方位置に開口形成されているため、その通風穴（５）へ先端吹出しノズル（８）を差し込んだとしても、送風機（７）からの送風は簀子（２）上に積み重ねられた木炭（９）に対して、その上方からだけしか作用せず、その結果木炭（９）をすばやく確実に着火することができない。
【課題を解決するための手段】
【０００６】
本発明はこのような諸問題の改良を目的としており、その目的を達成するために、請求項１では据付けキャビネットの天板に嵌め付けられた飾り枠と、その内部へ所定間隙の吸気流路を保つ状態に嵌め込み支持された内筒と、その内部へ嵌め込み定置された炭バケットと、その炭バケット内の簀子受け座へ載置される簀子と、上記炭バケットの胴面に開口する通風口を指向して、上記飾り枠と内箱との胴面に差し込み貫通された電気ヒーターと送風機とから成る電気着火ユニットとを備え、
【０００７】
その電気ヒーターの発熱を送風機の送風作用による熱風として、上記簀子上に積み重ねられた木炭へ投射する電気着火式炭火ロースターにおいて、
【０００８】
上記炭バケットを鋳鉄製品として、上向き拡開する断面ほぼラッパ型に造形する一方、上記電気ヒーターをセラミックの芯棒へ径大な花弁状に巻き付けたカンタル線として、これを包囲するヒーター包囲カバーの先端部へ、細かく仕切り造形されたセラミックの風吹出しノズルを嵌め付け固定すると共に、
【０００９】
そのヒーター包囲カバーの風吹出しノズルと上記炭バケットの通風口との向かい合う相互間に、一定の間隔距離を確保したことを特徴とする。
【００１０】
又、上記請求項１に従属する請求項２では、炭バケットの簀子受け座を全体的な放射対称型に分布する複数として、その炭バケットにおける胴面の下部位置から通風口の開口下縁部よりも、一定の高低段差だけ背高く内向き一体に張り出して、
【００１１】
これに安定良く載置された簀子上の木炭へ、上記通風口から熱風を簀子の上方のみならず、その簀子の下方からも部分的に廻り込み作用させるように関係設定したことを特徴とする。
【００１２】
同じく請求項１に従属する請求項３では、内箱をステンレス鋼板から上向き拡開する断面ほぼＵ字型に造形して、その開口上縁部から曲げ起された径大な受け止めフランジにより、食材の焼き網と吸気流路に連通する吸気筒とを受け止めると共に、
【００１３】
炭バケットの開口上縁部とこれを包囲する上記内箱の胴面との内外相互間に、一定の吸気間隙を確保したことを特徴とする。
【００１４】
更に、やはり請求項１に従属する請求項４では、ステンレス鋼板から上向き拡開する断面ほぼＵ字型に造形された飾り枠の下面を、集塵部に連通する排気口として切り欠く一方、
【００１５】
同じくステンレス鋼板から上向き拡開する断面ほぼＵ字型に造形された内箱の下面を、上記飾り枠の排気口よりも低く陥没する径小な炭バケット用受皿面として絞り加工すると共に、
【００１６】
その受皿面を横断する内箱支持ベースの両端部を、上記飾り枠における排気口の開口縁部へ吊り掛けることにより、上記内箱をその飾り枠の下面から一定高さだけ浮上する設置状態に保ったことを特徴とする。
【発明の効果】
【００１７】
請求項１の上記構成によれば、炭バケットが従来の経時的に崩壊しやすい珪藻土製品と異なり、耐久強度に富む剛性な鋳鉄製品として、上向き拡開する断面ほぼラッパ型に造形されている一方、電気ヒーターにおける包囲カバーの先端部をなす風吹出しノズルが、セラミックから細かく仕切り造形されており、しかも上記炭バケットの胴面に開口する通風口と一定の間隔距離を保つ状態にあって、その通風口へ少しも差し込まれていないため、食材の油脂や塩分を含むタレ、炭灰、その他の各種異物が上記通風口を通じて、電気ヒーターの内部へ侵入し、そのショートや損傷事故を招来するおそれがない。
【００１８】
又、上記電気ヒーターはセラミックの芯棒へ径大な花弁状に巻き付けられたカンタル線から成り、これを包囲するヒーター包囲カバーの先端部に、上記セラミックの風吹出しノズルが嵌め付け固定されているため、送風機からの送風がそのカンタル線を円滑・良好に通過し、電気ヒーターの発熱を風吹出しノズルから吹き出す熱風として、炭バケット内の木炭へ熱効率良く投射させることができ、すばやく確実に着火し得るのである。このことには、上記風吹出しノズルが赤熱化することも有機的に働く。
【００１９】
更に、上記風吹出しノズルは細かく仕切り開口されたセラミック製品であり、しかも炭バケットの胴面に開口する通風口と一定の間隔距離を保っているため、上記電気ヒーターが炭バケット内での燃焼中にある木炭から受ける熱負荷を、著しく低減させることができ、その電気ヒーターの耐用寿命も著しく向上する。
【００２０】
特に、請求項２の上記構成を採用するならば、風吹出しノズルから吹き出される熱風が炭バケットの通風口を経て、その炭バケット内の簀子上に積み重ねられている木炭へ、その簀子の上方のみならず、下方からも部分的に廻り込んで、木炭の全体へ万遍なく煽り作用することになるため、その木炭の着火をますます促進させることができ、食材の即席調理に有効である。
【００２１】
請求項３の上記構成を採用するならば、炭バケットの開口上縁部とこれを包囲する内箱の胴面との内外相互間に、一定の吸気間隙が確保されているため、ここを通じて吸気筒と吸気流路へ吸い込まれる気流により、上記風吹出しノズルが設置されたヒーター包囲カバーの先端部を、自づと効果的に放熱作用させることができ、その意味でも燃焼中の木炭から受ける電気ヒーターの熱負荷を、著しく低減し得るのであり、その寿命の向上に役立つ。
【００２２】
請求項４の上記構成を採用するならば、内箱の下面に絞り加工された炭バケット用受皿面によって、その内部へ炭バケットを横振れのおそれなく嵌め込み定置させることができ、しかも上記内箱をその受皿面の支持ベースにより、飾り枠の下面から一定高さだけ浮上する設置状態に保って、食材の焼き上げ調理中に発生する煙や油滴などを吸気筒と吸気流路から、これに連通した集塵部を経由する下引き排気式として、屋外へ円滑・確実に流動・排出させ得る効果もある。
【発明を実施するための最良の形態】
【００２３】
以下、図面に基いて本発明の具体的構成を詳述すると、図１はその炭火ロースターの分解状態を、又図２〜５は同じく組立状態を各々示しており、（１）はスチール板から枠組み一体化された据付けキャビネットであって、メラミン化粧板などの天板（食卓板）（２）を備えている。（３）（４）はそのキャビネット（１）の正面開閉蓋と側面開閉蓋であり、前者が後述するボリュームダンパーなどの点検用として、後者が電源ボックスや送風機の点検用として各々使われる。
【００２４】
（５）は上記天板（２）の中央部に嵌め付け設置された飾り枠（外箱）であって、ステンレス鋼板から上向き拡開する断面ほぼＵ字型に造形されており、その開口上縁部から張り出す径大な化粧フランジ（６）が上記天板（２）に係止している一方、下面の中央部に切り欠かれた排気口（７）が角筒型の集塵部（８）に連通している。
【００２５】
（９）は同じく飾り枠（５）における胴面の下部位置に切り抜かれたヒーター包囲カバー用受け入れ口であり、これと合致連通するヒーター包囲カバー用受け入れ口（１０）を備えた電気着火ユニット取付台（１１）が、その飾り枠（５）の胴面から一体的に張り出されている。（１２）は上記天板（２）に対する飾り枠（５）の固定金具であり、その複数の放射対称分布型に配置されている。
【００２６】
又、（１３）は上記飾り枠（５）の内部に嵌め込まれた炭バケット断熱用の内箱であり、ステンレス鋼板から上面が食材（Ｍ）の調理部（Ｒ）として拡開する断面ほぼＵ字型に造形されているけれども、その下面は特に上記飾り枠（５）の下面よりも低く陥没する径小な円形の炭バケット用受皿面（１４）として絞り加工されている。
【００２７】
しかも、同じく内箱（１３）における胴面の下部位置には、上記飾り枠（５）のヒーター包囲カバー用受け入れ口（９）と対応合致するヒーター包囲カバー用受け入れ連通口（１５）が切り抜かれている。（１６）は内箱（１３）の開口上縁部から曲げ起された径大な吸気筒用受け止めフランジである。
【００２８】
（１７）は内箱支持ベースであって、その内箱（１３）の炭バケット用受皿面（１４）を横断するステンレス鋼板から成り、これの両端部が上記飾り枠（５）における排気口（７）の開口縁部へ吊り掛けられることによって、その内箱（１３）を飾り枠（５）の下面から一定高さだけ浮上する設置状態に保ち、内箱（１３）と飾り枠（５）との内外相互間隙を集塵部（８）に連通する吸気流路（Ｐ）として区画している。
【００２９】
（１８）はやはりステンレス鋼板から成る吸気筒であり、その開口下縁部が上記内箱（１３）の吸気筒用受け止めフランジ（１６）に受け止められている一方、上記吸気流路（Ｐ）に被冠する約上半部が上向き拡開する円錐面として、ここには多数の吸気孔（１９）が開口分布されている。煙や油滴（オイルミスト）などをその吸気孔（１９）から上記吸気流路（Ｐ）へ吸い込み、その吸気流路（Ｐ）を集塵部（８）に向かって下引き流動・排出させるようになっているのである。
【００３０】
（２０）はその吸気整流用のトップリングであって、やはりステンレス鋼板から成り、上記吸気筒（１８）の開口上縁部へ嵌め付け被冠されている。（２１）は上記内箱（１３）の吸気筒用受け止めフランジ（１６）に受け止められた焼き網であって、ステンレス鋼板又は亜鉛メッキ鋼板などからドーム型に弯曲形成されており、ここへ肉や野菜などの食材（Ｍ）を載せることになる。
【００３１】
（２２）は上記内箱（１３）の就中受皿面（１４）へ嵌め込み定置された炭バケット（コンロ）であり、耐久強度に富む剛性な鋳鉄製品として、その開口上縁部が径大に反り曲がり拡開する断面ほぼラッパ型に造形されている。但し、その炭バケット（２２）の開口上縁部とこれを包囲する上記内箱（１３）の胴面との内外相互間には、図５のような一定の吸気間隙（Ｓ）が確保されている。
【００３２】
又、同じく炭バケット（２２）における胴面の中途高さ位置には、上記内箱（１３）のヒーター包囲カバー用受け入れ連通口（１５）と対応合致する通風口（２３）が貫通形成されている。つまり、その炭バケット（２２）の通風口（２３）と上記内箱（１３）のヒーター包囲カバー用受け入れ連通口（１５）、上記飾り枠（５）のヒーター包囲カバー用受け入れ口（９）並びにその電気着火ユニット取付台（１１）のヒーター包囲カバー用受け入れ口（１０）は、図４、５のような悉く同一中心線（Ｘ−Ｘ）上に並列する位置関係として開口分布されているのである。
【００３３】
しかも、炭バケット（２２）における胴面の下部位置からは全体的な放射対称状態に分布する複数の簀子受け座（２４）が、特に上記通風口（２３）の開口下縁部よりも若干背高いリブ形態として、内向き連続的に張り出されており、これらに上方から同じく鋳鉄製品の簀子（２５）が安定良く載置される。（Ｈ）はその簀子受け座（２４）に支持された簀子（２５）と、上記通風口（２３）における開口下縁部との一定な高低段差を示している。
【００３４】
これによって、後述の電気着火ユニット（Ｕ）から上記通風口（２３）を通じ、炭バケット（２２）の内部へ投射される熱風が、簀子（２５）の上方のみならず、その下方からも部分的に廻り込んで、木炭（Ｃ）への着火作用と送風作用を自づと効果的に促進できるようになっているのである。尚、上記簀子（２５）からは複数の横ズレ防止脚（２６）が連続一体に垂下しており、その炭バケット（２２）の下部は灰皿として機能することになる。
【００３５】
更に、（２７）は上記集塵部（８）内へ嵌め込み設置されたドレンパンであって、ステンレス鋼板から図１のような角筒型に枠組み一体化されており、その開口上縁部に載架されたグリスフィルター（２８）の油滴を受け溜める。（２９）は同じくドレンパン（２７）の下面を開閉する防火用バタフライダンパーであって、その一対の羽根（３０）を開放状態に保つ温度ヒューズ（３１）が、異常な高温（例えば約１８０℃）を検知して飛んだ時、排煙を遮断すべく密閉作用する。（３２）は上記ドレンパン（２７）の下面に連通するボリュームダンパーであり、そのハンドル（３３）の回動操作によって、排煙風量が調整されることになる。尚、これに接続配管される排煙ダクトや排風機は図示省略してある。
【００３６】
先に一言した電気着火ユニット（Ｕ）は図６〜９に抽出して示す如く、セラミックの比較的太く丸い芯棒（３４）にカンタル線（Ｋａ−ＡＦ０．９mm径）（３５）を径大な連続する花弁状に荒く巻き付けた特殊な電気ヒーター（商品名：ＮＣヒーター、１ＫＷ／１００Ｖ）（３６）と、その電気ヒーター（３６）の発熱を上記炭バケット（２２）の内部へ投射する火熾し用送風機（３７）とから組立ユニット化されている。
【００３７】
（３８）（３９）はステンレス鋼板から互いに咬み合うほぼコ字型に折り曲げられた前後一対のヒーターハウジングであり、その後側ヒーターハウジング（３９）の枠内に上記電気ヒーター（３６）を形作る芯棒（３４）の根元部が、保持金具（４０）を介して取り付け固定されている。（４１）はその芯棒（３４）の根元部から導出されたリード線である。
【００３８】
他方、前側ヒーターハウジング（３８）からは上記電気ヒーター（３６）を包囲するステンレス鋼管のヒーター包囲カバー（４２）が、前向き一体的に張り出し延長されている。その場合、ヒーター包囲カバー（４２）の根元部は風速の促進用先細り円錐面（４３）として絞り加工されていると共に、同じく先端部はノズル係止爪（４４）として内向きに折り曲げられている。
【００３９】
（４５）は上記ヒーター包囲カバー（４２）の内部へ嵌合一体化された耐熱性の石英ガラス管、（４６）はその石英ガラス管（４５）の先端部と、上記ヒーター包囲カバー（４２）のノズル係止爪（４４）との相互間へ挟み込み固定された一定な厚み（Ｔ）の風吹出しノズルであって、触媒セラミックから細かい格子状やハニカム状に仕切り造形されており、煙や炭灰、油脂と塩分を含むタレなどの各種異物が電気ヒーター（３６）の内部へ侵入しないようになっている。
【００４０】
更に、火熾し用の送風機（３７）はモーター（２０Ｗ／１００Ｖ）（４７）により回転駆動されるシロッコファンであって、上記後側ヒーターハウジング（３９）へ後方から取り付け固定されている。その送風機（３７）から上記ヒーター包囲カバー（４２）を通過する送風作用により、電気ヒーター（３６）の発熱をその風吹出しノズル（４６）から吹き出す熱風として、上記炭バケット（２２）の内部へ投射し、木炭（Ｃ）にすばやく着火できるようになっているが、その際風吹出しノズル（４６）は赤熱化することにより、それ自体もヒーターとして機能し得るのである。（４８）はその送風機（３７）の回転駆動モーター（４７）から導出されたリード線を示している。
【００４１】
そして、上記ヒーターハウジング（３８）（３９）の前後一対は複数のビス（４９）を介して締結一体化された上、その前側ヒーターハウジング（３８）が上記飾り枠（５）の胴面から一体的に張り出す電気着火ユニット取付台（１１）へ、やはり複数のビス（５０）によって取り付け固定されることになる。
【００４２】
しかも、上記電気ヒーター（３６）のリード線（４１）と送風機（３７）のリード線（４８）は、図１、２のようなキャビネット（１）に内蔵設置された電源ボックス（５１）と、その天板（２）の対応的な側面に嵌め付けられた送風コントローラー（操作パネル）（５２）へ、電気的に接続配線されるのである。
【００４３】
尚、送風コントローラー（５２）には電源のオン・オフ操作ボタンやそのオン状態の点灯表示ランプ、風力（火力）の強弱調整操作ボタン、着火状態の点灯表示ランプなどが設置されているけれども、これらは図示省略してある。
【００４４】
このような電気着火ユニット（Ｕ）の取付状態では図４、５に示す如く、その電気ヒーター（３６）のヒーター包囲カバー（４２）が上記電気着火ユニット取付台（１１）と飾り枠（５）のヒーター包囲カバー用受け入れ口（９）（１０）から、内箱（１３）のヒーター包囲カバー用受け入れ連通口（１５）を貫通して、これらの同一中心線（Ｘ−Ｘ）上に沿い炭バケット（２２）の通風口（２３）を指向し、しかもその先端部の風吹出しノズル（４６）と炭バケット（２２）の通風口（２３）とが、一定の間隔距離（Ｄ）を保つようになっている。
【００４５】
本発明の炭火ロースターでは所謂スタッキング方式として、キャビネット（１）の天板（２）に嵌め付けられた飾り枠（５）とその集塵部（８）の内部へ、上方からドレンパン（２７）とバタフライダンバー（２９）、グリスフィルター（２８）、内箱支持ベース（１７）、内箱（１３）、炭バケット（２２）、簀子（２５）、焼き網（２１）、吸気筒（１８）並びにトップリング（２０）などを順序良く抜き差し操作できるようになっているため、その全体的な組立作業と日常の点検・清掃作業を便利良く行なえる。
【００４６】
そして、上記炭火ロースターを使用し、肉や野菜などの食材（Ｍ）を焼き上げ調理するに当っては、図１０に示す如く、炭バケット（２２）の内部に簀子（２５）を嵌め込み定置させて、その簀子（２５）の上面へ一定量（例えば約５００ｇ）の木炭（Ｃ）を積み重ねる。
【００４７】
その場合、図１１、１２に例示する如く、１段目には細く割った黒炭（切炭）（Ｃ１）を電気ヒーター（３６）のヒーター包囲カバー（４２）に対して、ほぼ平行となる姿勢状態に敷き詰める。その敷き詰められた端部の黒炭（Ｃ１）は、上記ヒーター包囲カバー（４２）の風吹出しノズル（４６）に接近又は当接させる。
【００４８】
次いで、２段目には３０〜４０mm程度の白炭（オガ炭）（Ｃ２）をやはりヒーター包囲カバー（４２）に対しほぼ平行として、しかもその穴同志が合致連通する平面視の十文字状態に敷き詰め、最後の３段目には３５〜４５mm程度の白炭（オガ炭）（Ｃ３）を、その穴が上記２段目と逆向く十文字状態に載置することが、煽り通風上好ましい。
【００４９】
そして、上記送風コントローラー（５２）の電源をオン操作し、電気ヒーター（３６）を発熱させると共に、送風機（３７）から送風すれば、上記ヒーター包囲カバー（４２）の風吹出しノズル（４６）が赤熱化し、その熱風として木炭（Ｃ）へ投射されることになり、風吹出しノズル（４６）自体がヒーターとしても機能するため、その木炭（Ｃ）を確実に着火することができる。１度着火すれば、残り火により、その後は送風作用だけで火熾しを行なえる。
【００５０】
特に、上記電気ヒーター（３６）の芯棒（３４）は比較的太く、これにカンタル線（３５）が径大な花弁状として荒く巻き付けられているため、送風機（３７）からの送風が円滑・良好に通過し、その電気ヒーター（３６）の発熱を効率良く風吹出しノズル（４６）まで到達させることができる。
【００５１】
しかも、上記炭バケット（２２）における通風口（２３）の開口下縁部と、簀子（２５）との相互間には、一定の高低段差（Ｈ）が与えられているため、上記風吹出しノズル（４６）から吹き出される熱風は、図１０の太い実線矢印（ａ）で示す如く炭バケット（２２）の通風口（２３）を経て、その簀子（２５）に載置された木炭（Ｃ）へ上方からのみならず、簀子（２５）の下方からも部分的に廻り込んで、木炭（Ｃ）の全体に万遍なく煽り作用することとなる結果、例えば約１５分間でのすばやく着火できるのであり、その熱効率に著しく優れる。
【００５２】
更に言えば、上記ヒーター包囲カバー（４２）の風吹出しノズル（４６）は触媒セラミックからの格子状やハニカム状として、細かく仕切り開口されている一方、炭バケット（２２）が剛性な鋳鉄製品であり、しかも風吹出しノズル（４６）はその炭バケット（２２）の胴面と一定の間隔距離（Ｄ）を保つ状態として、炭バケット（２２）の通風口（２３）へ少しも差し込まれていないため、油脂や塩分を含むタレ、炭灰、その他の各種異物が風吹出しノズル（４６）を通じて、電気ヒーター（３６）の内部へ侵入するおそれや、その電気ヒーター（３６）が燃焼中の木炭（Ｃ）からいたづらに過大な熱負荷を受けて、早期に損耗するおそれなどを予防することができる。
【００５３】
又、上記炭バケット（２２）の開口上縁部とこれを包囲する内箱（１３）との内外相互間には、一定の吸気間隙（Ｓ）が確保されているため、ここを通じて吸気筒（１８）と吸気流路（Ｐ）へ吸い込まれる気流により、上記ヒーター包囲カバー（４２）の先端部を自づと効果的に放熱作用させることができ、その意味でも燃焼中の木炭（Ｃ）から受ける電気ヒーター（３６）の熱負荷が低減し、これの寿命が向上することになる。
【００５４】
尚、上記食材（Ｍ）の焼き上げ調理中において、その調理部（Ｒ）から発生する煙や油滴（オイルミスト）などは、図１０の細い実線矢印（ｂ）で示すように、吸気筒（１８）から吸気流路（Ｐ）へ吸い込まれた上、下引きとして集塵部（８）やボリュームダンパー（３２）を経由し、排気ダクトから屋外へ排出されることになるため、快適な無煙状態に保つことができる。因みに、吸気孔（１９）での吸込み風速は約２．５ｍ〜２．７ｍ／ｓｅｃである。
【図面の簡単な説明】
【００５５】
【図１】本発明に係る電気着火式炭火ロースターの分解状態を示す斜面図である。
【図２】同じく組立状態を示す平面図である。
【図３】図２の側面図である。
【図４】図２の４−４線断面図である。
【図５】図４の要部拡大図である。
【図６】電気着火ユニットの組立順序を示す斜面図である。
【図７】電気着火ユニットの電気ヒーターを示す正面図である。
【図８】図７の８−８線断面図である。
【図９】図８の９−９線断面図である。
【図１０】本発明の使用状態を示す説明図である。
【図１１】木炭の積み重ね状態を示す正面図である。
【図１２】図１１の平面図である。
【符号の説明】
【００５６】
（１）・キャビネット
（２）・天板
（５）・飾り枠（外箱）
（６）・化粧フランジ
（７）・排気口
（８）・集塵部
（９）（１０）・ヒーター包囲カバー用受け入れ口
（１１）・電気着火ユニット取付台
（１３）・内箱
（１４）・受皿面
（１５）・ヒーター包囲カバー用受け入れ連通口
（１６）・受け止めフランジ
（１７）・内箱支持ベース
（１８）・吸気筒
（１９）・吸気孔
（２０）・トップリング
（２１）・焼き網
（２２）・炭バケット（コンロ）
（２３）・通風口
（２４）・簀子受け座
（２５）・簀子
（２７）・ドレンパン
（２８）・グリスフィルター
（２９）・バタフライダンバー
（３１）・温度ヒューズ
（３２）・ボリュームダンパー
（３４）・芯棒
（３５）・カンタル線
（３６）・電気ヒーター
（３７）・送風機
（３８）（３９）・ヒーターハウジング
（４０）・保持金具
（４２）・ヒーター包囲カバー
（４４）・ノズル係止爪
（４５）・石英ガラス管
（４６）・風吹出しノズル
（４７）・モーター
（５１）・電源ボックス
（５２）・送風コントローラー（操作パネル）
（Ｃ）・木炭
（Ｍ）・食材
（Ｐ）・吸気流路
（Ｒ）・調理部
（Ｓ）・吸気間隙
（Ｕ）・電気着火ユニット
【図１】
2006129986.tif 000003
【図２】
2006129986.tif 000004
【図３】
2006129986.tif 000005
【図４】
2006129986.tif 000006
【図５】
2006129986.tif 000007
【図６】
2006129986.tif 000008
【図７】
2006129986.tif 000009
【図８】
2006129986.tif 000010
【図９】
2006129986.tif 000011
【図１０】
2006129986.tif 000012
【図１１】
2006129986.tif 000013
【図１２】
2006129986.tif 000014